(57)【特許請求の範囲】
【請求項１】
波長分割多重光から分離される信号光を受信する光受信装置と、前記波長分割多重光を伝送する複数の光伝送装置を管理する管理装置とを含む光伝送システムであって、
前記光受信装置は、
前記光受信装置へ入力される前記信号光と、局発光との混合光から変換された、前記信号光を復調するための電気信号のパワーを予め定められた許容範囲で増幅する増幅部と、
前記光受信装置へ入力される前記信号光又は前記局発光のパワーを調整する調整部と、
前記管理装置からの調整量に基づき、前記調整部を制御する制御部と
を備え、
前記管理装置は、
前記波長分割多重光のチャネルの増減が行われる場合に、前記光伝送装置毎の管理情報に基づき、当該増減に起因して変動する前記信号光のパワーの極値を推定する推定部と、
前記信号光のパワーの極値が前記増幅部の前記許容範囲に応じた前記信号光のパワーの許容範囲を外れる場合に、前記信号光のパワーの極値と、前記信号光のパワーの許容範囲の上限値又は下限値とに基づき、前記調整量を算出する算出部と、
前記算出部によって算出された前記調整量を前記光受信装置に通知する通知部と
を備えたことを特徴とする光伝送システム。
【請求項２】
前記管理情報は、
前記光伝送装置の種別毎に、当該光伝送装置に搭載されて前記波長多重分割光を増幅する光アンプの利得と、前記波長分割多重光のチャネルのうち当該光伝送装置で挿入されたチャネルの平均パワーと、前記波長分割多重光のチャネルのうち上流側の他の光伝送装置で挿入されて当該光伝送装置で前記信号光として分離されたチャネルの数と、当該光伝送装置と隣接の光伝送装置とを接続する光伝送路の損失とを含み、
前記推定部は、
前記光アンプの利得と、前記チャネルの平均パワーと、前記チャネルの数と、前記光伝送路の損失とに基づき、前記信号光のパワーの極値を推定することを特徴とする請求項１に記載の光伝送システム。
【請求項３】
前記通知部は、前記波長分割多重光のチャネルの増減が行われた後に、当該増減に起因して変動する前記信号光のパワーの収束値を取得し、取得した前記信号光のパワーの収束値が前記信号光のパワーの許容範囲に収まる場合に、前記調整量の無効化を指示する無効化指示を前記光受信装置に通知し、
前記制御部は、前記無効化指示に基づき、前記調整量を無効化する制御を行うことを特徴とする請求項１又は２に記載の光伝送システム。
【請求項４】
波長分割多重光から分離される信号光を受信する光受信装置であって、
当該光受信装置へ入力される前記信号光と、局発光との混合光から変換された、前記信号光を復調するための電気信号のパワーを予め定められた許容範囲で増幅する増幅部と、
前記光受信装置へ入力される前記信号光又は前記局発光のパワーを調整する調整部と、
前記波長分割多重光を伝送する複数の光伝送装置を管理する管理装置が、前記波長分割多重光のチャネルの増減が行われる場合に、前記光伝送装置毎の管理情報に基づき、前記増減に起因して変動する前記信号光のパワーの極値を推定し、前記信号光のパワーの極値が前記増幅部の前記許容範囲に応じた前記信号光のパワーの許容範囲を外れる場合に、前記信号光のパワーの極値と、前記信号光のパワーの許容範囲の上限値又は下限値とに基づき、前記光受信装置側の前記調整部での調整に用いられる調整量を算出し、算出された前記調整量を前記光受信装置に通知する状況において、前記管理装置からの前記調整量に基づいて、前記調整部を制御する制御部と
を備えたことを特徴とする光受信装置。
【請求項５】
波長分割多重光を伝送する複数の光伝送装置を管理する管理装置であって、
前記波長分割多重光のチャネルの増減が行われる場合に、前記光伝送装置毎の管理情報に基づき、当該増減に起因して変動する信号光のパワーの極値を推定する推定部と、
前記波長分割多重光から分離される前記信号光を受信する光受信装置が、前記光受信装置へ入力される前記信号光と、局発光との混合光から変換された、前記信号光を復調するための電気信号のパワーを増幅部を用いて予め定められた許容範囲で増幅し、前記管理装置からの調整量に基づいて、前記光受信装置へ入力される前記信号光又は前記局発光のパワーを調整する調整部を制御する状況において、前記信号光のパワーの極値が前記増幅部の前記許容範囲に応じた前記信号光のパワーの許容範囲を外れる場合に、前記信号光のパワーの極値と、前記信号光のパワーの許容範囲の上限値又は下限値とに基づき、前記調整量を算出する算出部と、
前記算出部によって算出された前記調整量を前記光受信装置に通知する通知部と
を備えたことを特徴とする管理装置。
【請求項６】
波長分割多重光から分離される信号光を受信する光受信装置と、前記波長分割多重光を伝送する複数の光伝送装置を管理する管理装置とを含む光伝送システムの信号調整方法であって、
前記管理装置は、
前記波長分割多重光のチャネルの増減が行われる場合に、前記光伝送装置毎の管理情報に基づき、前記増減に起因して変動する前記信号光のパワーの極値を推定し、
前記信号光のパワーの極値が、前記光受信装置へ入力される前記信号光と、局発光との混合光から変換された、前記信号光を復調するための電気信号のパワーを予め定められた許容範囲で増幅する、前記光受信装置側の増幅部の前記許容範囲に応じた前記信号光のパワーの許容範囲を外れる場合に、前記信号光のパワーの極値と、前記信号光のパワーの許容範囲の上限値又は下限値とに基づき、前記光受信装置側の調整部での調整に用いられる調整量を算出し、
算出された前記調整量を前記光受信装置に通知し
前記光受信装置は、
前記光受信装置へ入力される前記信号光と、局発光との混合光から変換された、前記信号光を復調するための電気信号のパワーを前記増幅部を用いて増幅し、
前記管理装置からの前記調整量に基づき、前記光受信装置へ入力される前記信号光又は前記局発光のパワーを調整する前記調整部を制御する
処理を実行することを特徴とする信号調整方法。
【発明の詳細な説明】
【技術分野】
【０００１】
本発明は、光伝送システム、光受信装置、管理装置及び信号調整方法に関する。
【背景技術】
【０００２】
近年、波長分割多重（ＷＤＭ：Wavelength  Division  Multiplexing）光を伝送する光伝送システムでは、伝送速度の向上が検討されている。伝送速度が向上するに連れて、伝送特性が厳しくなることが予想される。伝送速度が向上した場合であっても伝送特性を良好に保つために有用な技術として、デジタルコヒーレント受信方式がある。デジタルコヒーレント受信方式とは、ＷＤＭ光から分離される信号光を高速デジタル信号処理によって復調する技術である。
【０００３】
デジタルコヒーレント受信方式を採用した光受信装置は、ＷＤＭ光から分離される信号光と、局発光との混合光を生成し、生成した混合光を信号光を復調するための電気信号に変換し、増幅器を用いて電気信号のパワーを予め定められた許容範囲で増幅する。続いて、デジタルコヒーレント受信方式を採用した光受信装置は、増幅器から出力される電気信号に対してデジタル信号処理を施すことによって、信号光を復調する。
【先行技術文献】
【特許文献】
【０００４】
【特許文献１】特開２０１３−３８７４５号公報
【発明の概要】
【発明が解決しようとする課題】
【０００５】
しかしながら、上述した従来技術では、波長分割多重光のチャネルの増減に起因して信号光のパワーが過渡的に変動する場合に、信号光の復調精度が低下するという問題がある。
【０００６】
具体的には、波長分割多重光のチャネルの増減に起因して信号光のパワーが過渡的に変動すると、光受信装置側の増幅部へ入力される電気信号のパワーが予め定められた許容範囲を外れてしまう。すると、増幅器から出力される電気信号の特性が劣化する。例えば、波長分割多重光のチャネルが減設されると、信号光のパワーが過渡的に上昇し、増幅部へ入力される電気信号のパワーが許容範囲の上限値を超えてしまい、結果として、増幅器から出力される電気信号の波形が劣化する。このような場合に、従来の光受信装置では、波形が劣化した電気信号に対してデジタル信号処理を施すことになるので、信号光の復調精度の低下が生じる恐れがある。
【０００７】
また、例えば、波長分割多重光のチャネルが増設されると、信号光のパワーが過渡的に下降し、増幅部へ入力される電気信号にパワーが許容範囲の下限値を下回り、結果として、増幅器から出力される電気信号のＳＮ比（Signal  Noise  Ratio）が劣化する。このような場合に、従来の光受信装置では、ＳＮ比が劣化した電気信号に対してデジタル信号処理を施すことになるので、信号光の復調精度の低下が生じる恐れがある。
【０００８】
一つの側面では、波長分割多重光のチャネルの増減に起因して信号光のパワーが過渡的に変動する場合でも、信号光の復調精度の低下を改善することができる光伝送システム、光受信装置、管理装置及び信号調整方法を提供することを目的とする。
【課題を解決するための手段】
【０００９】
本願の開示する光伝送システムは、波長分割多重光から分離される信号光を受信する光受信装置と、波長分割多重光を伝送する複数の光伝送装置を管理する管理装置とを含む光伝送システムである。光受信装置は、増幅部と、調整部と、制御部とを備える。増幅部は、光受信装置へ入力される信号光と、局発光との混合光から変換された、信号光を復調するための電気信号のパワーを予め定められた許容範囲で増幅する。調整部は、光受信装置へ入力される信号光又は局発光のパワーを調整する。制御部は、管理装置からの調整量に基づき、調整部を制御する。管理装置は、推定部と、算出部と、通知部とを備える。推定部は、波長分割多重光のチャネルの増減が行われる場合に、光伝送装置毎の管理情報に基づき、当該増減に起因して変動する信号光のパワーの極値を推定する。算出部は、信号光のパワーの極値が増幅部の許容範囲に応じた信号光のパワーの許容範囲を外れる場合に、信号光のパワーの極値と、信号光のパワーの許容範囲の上限値又は下限値とに基づき、調整量を算出する。通知部は、算出部によって算出された調整量を光受信装置に通知する。
【発明の効果】
【００１０】
本願の開示する光伝送システムの一つの態様によれば、波長分割多重光のチャネルの増減に起因して信号光のパワーが過渡的に変動する場合でも、信号光の復調精度の低下を改善することができるという効果を奏する。
【図面の簡単な説明】
【００１１】
【図１】図１は、デジタルコヒーレント受信方式を採用した光受信器の構成例を示す図である。
【図２】図２は、図１に示した増幅部から出力される電気信号の波形の一例を示す図である。
【図３】図３は、図１に示した増幅部へ入力される電気信号のパワーの推移の一例を示す図である。
【図４】図４は、図１に示した増幅部へ入力される電気信号の推移の他の例を示す図である。
【図５】図５は、実施例の光伝送システムによる信号調整方法の一例を説明するための図である。
【図６】図６は、実施例の光伝送システムによる信号調整方法の他の例を説明するための図である。
【図７】図７は、実施例の光伝送システムの構成例を示す図である。
【図８】図８は、実施例の光伝送システム内のノードの構成例を示す図である。
【図９】図９は、実施例の光伝送システム内の光受信器の構成例を示す図である。
【図１０】図１０は、チャネルの増減に起因して変動する入力信号光のパワーの極値を推定する手法の一例を示す図（その１）である。
【図１１】図１１は、推定部によって用いられる対応テーブルの一例を示す図である。
【図１２】図１２は、推定部によって用いられる対応テーブルの他の例を示す図である。
【図１３】図１３は、チャネルの増減に起因して変動する入力信号光のパワーの極値を推定する手法の一例を示す図（その２）である。
【図１４】図１４は、実施例の信号調整処理に関わる光伝送システムの処理動作の一例を示すフローチャートである。
【発明を実施するための形態】
【００１２】
以下に、本願の開示する光伝送システム、光受信装置、管理装置及び信号調整方法の実施例を図面に基づいて詳細に説明する。なお、この実施例により開示技術が限定されるものではない。
【００１３】
まず、図１〜図４を参照して、本願の開示する光伝送システムの前提となる技術について説明する。図１は、デジタルコヒーレント受信方式を採用した光受信器の構成例を示す図である。図１に示す光受信器１は、波長分割多重（ＷＤＭ：Wavelength  Division  Multiplexing）光を伝送する複数のノードを含む光伝送システムに設けられ、ＷＤＭ光から分離される信号光を受信する。ここでは、ＷＤＭ光は、偏波多重位相変調（ＤＰ−ＤＱＰＳＫ：Dual  Polarization  Differential  Quadrature  Phase  Shift  Keying）方式の信号光が多重されて得られるＷＤＭ光であるものとする。
【００１４】
図１に示す光受信器１は、ＰＢＳ（Polarizing  Beam  Splitter）１１、ＬＯ（Local Oscillator）１２、ＰＢＳ１３、９０  ｄｅｇ  Ｈｙｂｒｉｄ  Ｍｉｘｅｒ１４及び９０  ｄｅｇ  Ｈｙｂｒｉｄ  Ｍｉｘｅｒ１５を有する。また、光受信器１は、ＰＤ（Photo  Detector）部１６及び増幅部１７を有する。
【００１５】
ＰＢＳ１１は、ＷＤＭ光から分離される信号光を偏波状態が互いに直交する２つの信号光に分離する。以下では、偏波状態が互いに直交する２つの信号光の一方をＸ偏波の信号光と呼び、他方をＹ偏波の信号光と呼ぶことがある。ＰＢＳ１１は、Ｘ偏波の信号光を９０  ｄｅｇ  Ｈｙｂｒｉｄ  Ｍｉｘｅｒ１４へ出力し、Ｙ偏波の信号光を９０  ｄｅｇ  Ｈｙｂｒｉｄ  Ｍｉｘｅｒ１５へ出力する。
【００１６】
ＬＯ１２は、局部発振光（以下「局発光」という）を生成し、生成した局発光をＰＢＳ１３へ出力する。
【００１７】
ＰＢＳ１３は、ＬＯ１２から入力される局発光を偏波状態が互いに直交する２つの局発光に分離する。以下では、偏波状態が互いに直交する２つの局発光の一方をＸ偏波の局発光と呼び、他方をＹ偏波の局発光と呼ぶことがある。ＰＢＳ１３は、Ｘ偏波の局発光を９０  ｄｅｇ  Ｈｙｂｒｉｄ  Ｍｉｘｅｒ１４へ出力し、Ｙ偏波の局発光を９０  ｄｅｇ  Ｈｙｂｒｉｄ  Ｍｉｘｅｒ１５へ出力する。
【００１８】
９０  ｄｅｇ  Ｈｙｂｒｉｄ  Ｍｉｘｅｒ１４は、ＰＢＳ１１から入力されるＸ偏波の信号光と、ＰＢＳ１３から入力されるＸ偏波の局発光との混合光を生成し、生成した混合光のＩ（In-phase）成分及びＱ（Quadrature）成分をＰＤ部１６へ出力する。
【００１９】
９０  ｄｅｇ  Ｈｙｂｒｉｄ  Ｍｉｘｅｒ１５は、ＰＢＳ１１から入力されるＹ偏波の信号光と、ＰＢＳ１３から入力されるＹ偏波の局発光との混合光を生成し、生成した混合光のＩ成分及びＱ成分をＰＤ部１６へ出力する。
【００２０】
ＰＤ部１６は、９０  ｄｅｇ  Ｈｙｂｒｉｄ  Ｍｉｘｅｒ１４及び９０  ｄｅｇ  Ｈｙｂｒｉｄ  Ｍｉｘｅｒ１５から入力される混合光を電気信号に変換する。ＰＤ部１６は、ＰＤ１６ａ〜１６ｄを有する。ＰＤ１６ａは、９０  ｄｅｇ  Ｈｙｂｒｉｄ  Ｍｉｘｅｒ１４から入力されるＸ偏波の混合光のＩ成分（以下「ＸＩ成分」という）を電気信号に変換し、ＸＩ成分の電気信号を増幅部１７へ出力する。ＰＤ１６ｂは、９０  ｄｅｇ  Ｈｙｂｒｉｄ  Ｍｉｘｅｒ１４から入力されるＸ偏波の混合光のＱ成分（以下「ＸＱ成分」という）を電気信号に変換し、増幅部１７へ出力する。ＰＤ１６ｃは、９０  ｄｅｇ  Ｈｙｂｒｉｄ  Ｍｉｘｅｒ１５から入力されるＹ偏波の混合光のＩ成分（以下「ＹＩ成分」という）を電気信号に変換し、ＹＩ成分の電気信号を増幅部１７へ出力する。ＰＤ１６ｄは、９０  ｄｅｇ  Ｈｙｂｒｉｄ  Ｍｉｘｅｒ１５から入力されるＹ偏波の混合光のＱ成分（以下「ＹＱ成分」という）を電気信号に変換し、ＹＱ成分の電気信号を増幅部１７へ出力する。
【００２１】
増幅部１７は、ＰＤ部１６から入力される電気信号のパワーを予め定められた許容範囲で増幅する。増幅部１７は、増幅器１７ａ〜１７ｄを有する。増幅器１７ａは、ＰＤ１６ａから入力されるＸＩ成分の電気信号のパワーを増幅し、増幅したＸＩ成分の電気信号を図示しないＡＤＣ／ＤＳＰ（Analog  Digital  Converter/Digital  Signal  Processor）へ出力する。増幅器１７ｂは、ＰＤ１６ｂから入力されるＸＱ成分の電気信号のパワーを増幅し、増幅したＸＱ成分の電気信号をＡＤＣ／ＤＳＰへ出力する。増幅器１７ｃは、ＰＤ１６ｃから入力されるＹＩ成分の電気信号のパワーを増幅し、増幅したＹＩ成分の電気信号をＡＤＣ／ＤＳＰへ出力する。増幅器１７ｄは、ＰＤ１６ｄから入力されるＹＱ成分の電気信号のパワーを増幅し、増幅したＹＱ成分の電気信号をＡＤＣ／ＤＳＰへ出力する。
【００２２】
ＡＤＣ／ＤＳＰは、増幅部１７から出力される電気信号に対して所定のデジタル信号処理を施すことによって、信号光を復調する。
【００２３】
図２は、図１に示した増幅部から出力される電気信号の波形の一例を示す図である。図２において、横軸は、時間を示し、縦軸は、増幅部１７から出力される電気信号のパワーを示している。なお、図２に示す例では、増幅部１７へ入力される電気信号（すなわち、ＸＩ成分、ＸＱ成分、ＹＩ成分及びＹＱ成分の電気信号）のパワーが予め定められた許容範囲の上限値を超えているものとする。
【００２４】
図２に示すように、増幅部１７から出力される電気信号（すなわち、ＸＩ成分、ＸＱ成分、ＹＩ成分及びＹＱ成分の電気信号）の波形は、増幅部１７へ入力される電気信号のパワーが予め定められた許容範囲の上限値を超えているので、クリップされる。例えば、図２において、ＸＩ成分、ＸＱ成分、ＹＩ成分及びＹＱ成分の電気信号の破線部分が、クリップされる。なお、本来、ＸＩ成分、ＸＱ成分、ＹＩ成分及びＹＱ成分の電気信号の波形は、破線部分も含む形状となることが理想的である。
【００２５】
ＡＤＣ／ＤＳＰは、増幅部１７へ入力される電気信号のパワーが予め定められた許容範囲の上限値を超える場合に、図２に示した破線部分がクリップされた電気信号に対して所定のデジタル信号処理を施す。この場合、図２に示した破線部分がクリップされているため、ＡＤＣ／ＤＳＰによる信号光の復調精度は低下する恐れがある。
【００２６】
図３は、図１に示した増幅部へ入力される電気信号のパワーの推移の一例を示す図である。図３において、横軸は、時間を示し、縦軸は、増幅部１７へ入力される電気信号のパワーを示している。ここで、増幅部１７へ入力される電気信号のパワーは、ＸＩ成分、ＸＱ成分、ＹＩ成分及びＹＱ成分の電気信号のパワーに相当する。
【００２７】
ＷＤＭ光のチャネルの減設が行われると、光受信器１へ入力される信号光のパワーが過渡的に上昇するので、増幅部１７へ入力される電気信号のパワーも、図３に示すように、過渡的に上昇する。例えば、図３において、時刻ｔ０にＷＤＭ光のチャネルの減設が行われたものとする。この場合、破線により囲まれた部分Ｐ５１に注目すると、増幅部１７へ入力される電気信号のパワーの極大値が予め定められた許容範囲の上限値を超えている。これは、光受信器１へ入力される信号光のパワーの極大値が増幅部１７の許容範囲に応じて定まる信号光のパワーの許容範囲の上限値を超えていることと同義である。増幅部１７へ入力される電気信号のパワーの極大値が予め定められた許容範囲の上限値を超えると、増幅部１７から出力される電気信号（すなわち、ＸＩ成分、ＸＱ成分、ＹＩ成分及びＹＱ成分の電気信号）の波形は、図２で説明したように、劣化する。このため、ＡＤＣ／ＤＳＰによる信号光の復調精度が低下する恐れがある。
【００２８】
このような信号光の復調精度の低下は、図４に示した例からも把握される。図４は、図１に示した増幅部へ入力される電気信号の推移の他の例を示す図である。図４において、横軸は、時間を示し、縦軸は、増幅部１７へ入力される電気信号のパワーを示している。ここで、増幅部１７へ入力される電気信号のパワーは、ＸＩ成分、ＸＱ成分、ＹＩ成分及びＹＱ成分の電気信号のパワーに相当する。
【００２９】
ＷＤＭ光のチャネルの増設が行われると、光受信器１へ入力される信号光のパワーが過渡的に下降するので、増幅部１７へ入力される電気信号のパワーも、図４に示すように、過渡的に下降する。例えば、図４において、時刻ｔ０にＷＤＭ光のチャネルの増設が行われたものとする。この場合、破線により囲まれた部分Ｐ５２に注目すると、増幅部１７へ入力される電気信号のパワーの極小値が予め定められた許容範囲の下限値を下回っている。これは、光受信器１へ入力される信号光のパワーの極小値が増幅部１７の許容範囲に応じて定まる信号光のパワーの許容範囲の下限値を下回っていることと同義である。増幅部１７へ入力される電気信号のパワーの極小値が予め定められた許容範囲の下限値を下回ると、増幅部１７から出力される電気信号（すなわち、ＸＩ成分、ＸＱ成分、ＹＩ成分及びＹＱ成分の電気信号）のＳＮ比（Signal  Noise  Ratio）が劣化する。なお、増幅部１７から出力される電気信号のＳＮ比が劣化した場合にも、ＡＤＣ／ＤＳＰによる信号光の復調精度が低下することが知られている。
【実施例】
【００３０】
まず、実施例の光伝送システムによる信号調整方法について説明する。実施例の光伝送システムは、ＷＤＭ光を伝送する複数のノードと、ＷＤＭ光から分離される信号光を受信する光受信器と、複数のノードを管理する管理装置とを含む。管理装置は、ＷＤＭ光のチャネルの増減が行われる場合に、ノード毎の管理情報に基づき、信号光のパワーの極値を推定する。管理装置は、信号光のパワーの極値が、光受信器側の増幅部の許容範囲に応じた信号光のパワーの許容範囲を外れる場合に、信号光のパワーの極値と、信号光のパワーの許容範囲の上限値又は下限値とに基づき、光受信器側の調整部での調整量を算出する。管理装置は、算出された調整量を光受信器に通知する。そして、光受信器は、入力される信号光と、局発光との混合光から変換された、信号光を復調するための電気信号のパワーを増幅部を用いて増幅し、管理装置からの調整量に基づき、入力される信号光又は局発光のパワーを調整する。
【００３１】
図５は、実施例の光伝送システムによる信号調整方法の一例を説明するための図である。図５において、横軸は、時間を示し、縦軸は、光受信器側の増幅部へ入力される電気信号のパワーを示している。ここで、光受信器側の増幅部へ入力される電気信号のパワーは、図１〜図４で既に説明した、ＸＩ成分、ＸＱ成分、ＹＩ成分及びＹＱ成分の電気信号のパワーに相当する。また、図５に示す例では、時刻ｔ０にＷＤＭ光のチャネルの減設が行われ、ＷＤＭ光のチャネルの減設に起因して信号光のパワーが過渡的に上昇する場合を説明する。
【００３２】
管理装置は、ノード毎の管理情報に基づき、ＷＤＭ光のチャネルの減設に起因して変動する信号光のパワーの極大値を推定する。ここで、推定された信号光のパワーの極大値が、光受信器側の増幅部の許容範囲に応じた信号光のパワーの許容範囲の上限値を超える場合を想定する。この場合、光受信器側の増幅部へ入力される電気信号のパワーの極大値が予め定められた許容範囲の上限値を超えることが予想される。このため、管理装置は、信号光のパワーの極大値と、信号光のパワーの許容範囲の上限値との差ΔＸを光受信器側の調整部での調整量として算出し、算出された調整量ΔＸを光受信器に通知する。そして、光受信器は、管理装置からの調整量ΔＸに基づき、入力される信号光又は局発光のパワーを低下させる調整を行う。すると、光受信器側の増幅部へ入力される電気信号のパワーは、図５に示すように、ＷＤＭ光のチャネルの減設が行われる前に、調整量ΔＸだけ減少する。このため、ＷＤＭ光のチャネルの減設が行われた場合であっても、光受信器側の増幅部へ入力される電気信号のパワーの極大値は、予め定められた許容範囲に収まる。その結果、光受信器側の増幅部から出力される電気信号（すなわち、ＸＩ成分、ＸＱ成分、ＹＩ成分及びＹＱ成分の電気信号）の波形の劣化が抑えられ、信号光の復調精度の低下が改善される。
【００３３】
なお、管理装置は、ＷＤＭ光のチャネルの減設が行われた後に、チャネルの減設に起因して変動する信号光のパワーの収束値が信号光のパワーの許容範囲に収まる場合に、調整量ΔＸを無効化する旨を指示する無効化指示を光受信器へ通知する。そして、光受信器は、無効化指示に基づき、調整量ΔＸを無効化する制御を行う。これにより、光受信器側の増幅部へ入力される電気信号のパワーは、図５に示すように、調整量ΔＸだけ増加する。
【００３４】
図６は、実施例の光伝送システムによる信号調整方法の他の例を説明するための図である。図６において、横軸は、時間を示し、縦軸は、光受信器側の増幅部へ入力される電気信号のパワーを示している。ここで、光受信器側の増幅部へ入力される電気信号のパワーは、図１〜図４で既に説明した、ＸＩ成分、ＸＱ成分、ＹＩ成分及びＹＱ成分の電気信号のパワーに相当する。また、図６に示す例では、時刻ｔ０にＷＤＭ光のチャネルの増設が行われ、ＷＤＭ光のチャネルの増設に起因して信号光のパワーが過渡的に下降する場合を説明する。
【００３５】
管理装置は、ノード毎の管理情報に基づき、ＷＤＭ光のチャネルの増設に起因して変動する信号光のパワーの極小値を推定する。ここで、推定された信号光のパワーの極小値が、光受信器側の増幅部の許容範囲に応じた信号光のパワーの許容範囲の下限値を下回る場合を想定する。この場合、光受信器側の増幅部へ入力される電気信号のパワーの極小値が予め定められた許容範囲の下限値を下回ることが予想される。このため、管理装置は、信号光のパワーの極小値と、信号光のパワーの許容範囲の下限値との差ΔＹを光受信器側の調整部での調整量として算出し、算出された調整量ΔＹを光受信器に通知する。そして、光受信器は、管理装置からの調整量ΔＹに基づき、入力される信号光又は局発光のパワーを増加させる調整を行う。すると、光受信器側の増幅部へ入力される電気信号のパワーは、図６に示すように、ＷＤＭ光のチャネルの増設が行われる前に、調整量ΔＹだけ増加する。このため、ＷＤＭ光のチャネルの増設が行われた場合であっても、光受信器側の増幅部へ入力される電気信号のパワーの極小値は、予め定められた許容範囲に収まる。その結果、光受信器側の増幅部から出力される電気信号（すなわち、ＸＩ成分、ＸＱ成分、ＹＩ成分及びＹＱ成分の電気信号）のＳＮ比の劣化が抑えられ、信号光の復調精度の低下が改善される。
【００３６】
なお、管理装置は、ＷＤＭ光のチャネルの増設が行われた後に、チャネルの増設に起因して変動する信号光のパワーの収束値が信号光のパワーの許容範囲に収まる場合に、調整量ΔＹを無効化する旨を指示する無効化指示を光受信器へ通知する。そして、光受信器は、無効化指示に基づき、調整量ΔＹを無効化する制御を行う。これにより、光受信器側の増幅部へ入力される電気信号のパワーは、図６に示すように、調整量ΔＹだけ減少する。
【００３７】
次に、実施例の光伝送システムの構成例について説明する。図７は、実施例の光伝送システムの構成例を示す図である。図７に示す光伝送システムは、光ファイバ等の光伝送路で接続された複数のノード２０と、複数のノード２０を管理する管理装置３０とを有する。ノード２０は、光伝送路を介してＷＤＭ光を伝送する。ノード２０は、光伝送装置の一例である。なお、以下の説明では、ＷＤＭ光は、ＤＰ−ＤＱＰＳＫ方式の信号光が多重されて得られるＷＤＭ光であるものとする。
【００３８】
図８は、実施例の光伝送システム内のノードの構成例を示す図である。図８に示すノード２０は、光アンプ２１、合分波器２２、光アンプ２３、複数の光送信器２４及び複数の光受信器１００を有する。光アンプ２１は、光伝送路から受信したＷＤＭ光を増幅する。
【００３９】
合分波器２２は、受信したＷＤＭ光から信号光を分離し、ＷＤＭ光から分離された信号光を光受信器１００へ出力する。また、合分波器２２は、光送信器２４から出力される信号光をＷＤＭ光へ挿入し、信号光が挿入されたＷＤＭ光を光アンプ２３へ出力する。
【００４０】
光アンプ２３は、合分波器２２から出力されるＷＤＭ光を増幅して光伝送路へ出力する。光送信器２４は、信号光を生成して合分波器２２へ出力する。
【００４１】
光受信器１００は、デジタルコヒーレント受信方式を採用した光受信器である。光受信器１００は、合分波器２２によってＷＤＭ光から分離される信号光を受信する。光受信器１００は、光受信装置の一例である。
【００４２】
図９は、実施例の光伝送システム内の光受信器の構成例を示す図である。なお、図９では、図８で示された複数の光受信器１００のうち任意の光受信器の構成例を示すが、任意の光受信器以外の他の光受信器も同様の構成を有するため、ここではその説明を省略する。
【００４３】
図９に示す光受信器１００は、可変光減衰器(ＶＯＡ：Variable  Optical  Attenuator）１０１、ＰＤ１０２、ＰＢＳ１０３、ＬＯ１０４及びＶＯＡ１０５を有する。また、光受信器１００は、ＰＢＳ１０６、９０  ｄｅｇ  Ｈｙｂｒｉｄ  Ｍｉｘｅｒ１０７、９０  ｄｅｇ  Ｈｙｂｒｉｄ  Ｍｉｘｅｒ１０８、ＰＤ部１０９、増幅部１１０、ＡＤＣ／ＤＳＰ１１１及び制御部１１２を有する。
【００４４】
ＶＯＡ１０１は、ＷＤＭ光から分離されて光受信器１００へ入力される信号光（以下「入力信号光」という）のパワーを調整する。ＶＯＡ１０１によるパワーの調整量は、制御部１１２によって制御される。ＶＯＡ１０１は、調整部の一例である。
【００４５】
ＰＤ１０２は、入力信号光のパワーを検出し、検出した入力信号光のパワーを制御部１１２へ出力する。
【００４６】
ＰＢＳ１０３は、入力信号光を偏波状態が互いに直交する２つの信号光に分離する。以下では、偏波状態が互いに直交する２つの信号光の一方をＸ偏波の信号光と呼び、他方をＹ偏波の信号光と呼ぶことがある。ＰＢＳ１０３は、Ｘ偏波の信号光を９０  ｄｅｇ  Ｈｙｂｒｉｄ  Ｍｉｘｅｒ１０７へ出力し、Ｙ偏波の信号光を９０  ｄｅｇ  Ｈｙｂｒｉｄ  Ｍｉｘｅｒ１０８へ出力する。
【００４７】
ＬＯ１０４は、局発光を生成し、生成した局発光をＶＯＡ１０５へ出力する。
【００４８】
ＶＯＡ１０５は、ＬＯ１０４から出力される局発光のパワーを調整する。ＶＯＡ１０５によるパワーの調整量は、制御部１１２によって制御される。ＶＯＡ１０５は、調整部の一例である。
【００４９】
ＰＢＳ１０６は、局発光を偏波状態が互いに直交する２つの局発光に分離する。以下では、偏波状態が互いに直交する２つの局発光の一方をＸ偏波の局発光と呼び、他方をＹ偏波の局発光と呼ぶことがある。ＰＢＳ１０６は、Ｘ偏波の局発光を９０  ｄｅｇ  Ｈｙｂｒｉｄ  Ｍｉｘｅｒ１０７へ出力し、Ｙ偏波の局発光を９０  ｄｅｇ  Ｈｙｂｒｉｄ  Ｍｉｘｅｒ１０８へ出力する。
【００５０】
９０  ｄｅｇ  Ｈｙｂｒｉｄ  Ｍｉｘｅｒ１０７は、ＰＢＳ１０３から入力されるＸ偏波の信号光と、ＰＢＳ１０６から入力されるＸ偏波の局発光との混合光を生成し、生成した混合光のＩ（In-phase）成分及びＱ（Quadrature）成分をＰＤ部１０９へ出力する。
【００５１】
９０  ｄｅｇ  Ｈｙｂｒｉｄ  Ｍｉｘｅｒ１０８は、ＰＢＳ１０３から入力されるＹ偏波の信号光と、ＰＢＳ１０６から入力されるＹ偏波の局発光との混合光を生成し、生成した混合光のＩ成分及びＱ成分をＰＤ部１０９へ出力する。
【００５２】
ＰＤ部１０９は、９０  ｄｅｇ  Ｈｙｂｒｉｄ  Ｍｉｘｅｒ１０７及び９０  ｄｅｇ  Ｈｙｂｒｉｄ  Ｍｉｘｅｒ１０８から入力される混合光を電気信号に変換する。ＰＤ部１０９は、ＰＤ１０９ａ〜１０９ｄを有する。ＰＤ１０９ａは、９０  ｄｅｇ  Ｈｙｂｒｉｄ  Ｍｉｘｅｒ１０７から入力されるＸ偏波の混合光のＩ成分（以下「ＸＩ成分」という）を電気信号に変換し、ＸＩ成分の電気信号を増幅部１１０へ出力する。ＰＤ１０９ｂは、９０  ｄｅｇ  Ｈｙｂｒｉｄ  Ｍｉｘｅｒ１０７から入力されるＸ偏波の混合光のＱ成分（以下「ＸＱ成分」という）を電気信号に変換し、ＸＱ成分の電気信号を増幅部１１０へ出力する。ＰＤ１０９ｃは、９０  ｄｅｇ  Ｈｙｂｒｉｄ  Ｍｉｘｅｒ１０８から入力されるＹ偏波の混合光のＩ成分（以下「ＹＩ成分」という）を電気信号に変換し、ＹＩ成分の電気信号を増幅部１１０へ出力する。ＰＤ１０９ｄは、９０  ｄｅｇ  Ｈｙｂｒｉｄ  Ｍｉｘｅｒ１０８から入力されるＹ偏波の混合光のＱ成分（以下「ＹＱ成分」という）を電気信号に変換し、ＹＱ成分の電気信号を増幅部１１０へ出力する。
【００５３】
増幅部１１０は、ＰＤ部１０９から入力される電気信号のパワーを予め定められた許容範囲で増幅する。増幅部１１０は、増幅器１１０ａ〜１１０ｄを有する。増幅器１１０ａは、ＰＤ１０９ａから入力されるＸＩ成分の電気信号のパワーを増幅し、増幅したＸＩ成分の電気信号をＡＤＣ／ＤＳＰ１１１へ出力する。増幅器１１０ｂは、ＰＤ１０９ｂから入力されるＸＱ成分の電気信号のパワーを増幅し、増幅したＸＱ成分の電気信号をＡＤＣ／ＤＳＰ１１１へ出力する。増幅器１１０ｃは、ＰＤ１０９ｃから入力されるＹＩ成分の電気信号のパワーを増幅し、増幅したＹＩ成分の電気信号をＡＤＣ／ＤＳＰ１１１へ出力する。増幅器１１０ｄは、ＰＤ１０９ｄから入力されるＹＱ成分の電気信号のパワーを増幅し、増幅したＹＱ成分の電気信号をＡＤＣ／ＤＳＰ１１１へ出力する。
【００５４】
ＡＤＣ／ＤＳＰ１１１は、増幅部１１０から出力される電気信号に対して所定のデジタル信号処理を施すことによって、信号光を復調する。
【００５５】
制御部１１２は、管理装置３０からの調整量に基づき、ＶＯＡ１０１によるパワーの調整量、及び／又はＶＯＡ１０５によるパワーの調整量を制御する。ここで、管理装置３０からの調整量は、入力信号光内の各チャネルのパワーを減衰させる減衰量等を含む。
【００５６】
また、制御部１１２は、ＰＤ１０２によって検出された入力信号光のパワーを管理装置３０へ送信する。
【００５７】
また、管理装置３０は、例えば、汎用のパーソナルコンピュータやワークステーション等で構成され、光伝送システム内の全てのノード２０及び光受信器１００とＬＡＮ（Local  Area  Network）等で接続される。管理装置３０は、管理部３１、推定部３２、算出部３３及び通知部３４を有する。
【００５８】
管理部３１は、ノード２０毎の管理情報を管理する。管理情報は、ノード２０が接続するネットワーク全体のパス情報と、ノード２０に関する装置情報とを含む。パス情報は、ＷＤＭ光内の各チャネルがどのノード２０で挿入されてどのノード２０で分離されるかを示す情報である。装置情報は、ノード２０の種別毎に、ノード２０に搭載されてＷＤＭ光を増幅する光アンプ２１等の利得と、ＷＤＭ光のチャネルのうちノード２０で挿入されたチャネルの平均パワーとを含む。また、装置情報は、ノード２０の種別ごとに、ＷＤＭ光のチャネルのうち上流側の他のノード２０で挿入されてノード２０で信号光として分離されたチャネルの数と、ノード２０と隣接のノード２０とを接続する光伝送路の損失とを含む。
【００５９】
推定部３２は、ＷＤＭ光のチャネルの増減が行われる場合に、ノード２０毎の管理情報に基づき、チャネルの増減に起因して変動する入力信号光のパワーの極値を推定する。入力信号光のパワーの極値には、ＷＤＭ光のチャネルの減設に起因して過渡的に上昇する入力信号光のパワーの極大値と、ＷＤＭ光のチャネルの増設に起因して過渡的に下降する入力信号光のパワーの極小値とが含まれる。
【００６０】
ここで、チャネルの増減に起因して変動する入力信号光のパワーの極値を推定する手法の一例を説明する。図１０は、チャネルの増減に起因して変動する入力信号光のパワーの極値を推定する手法の一例を示す図（その１）である。図１０に示す光伝送システムでは、ノード＃１（Ｎｏｄｅ＃１）〜ノード＃４（Ｎｏｄｅ＃４）がPoint-to-Point方式で接続されているものとする。また、図１０に示す光伝送システムでは、ノード＃１からノード＃４へ至るパスＰ＃１が設定されているものとする。以下では、チャネルの減設に起因してノード＃４の光受信器Ｒｘ＿ｎへ入力される入力信号光のパワーが過渡的に上昇する場合に、推定部３２が、ノード＃４の光受信器Ｒｘ＿ｎへ入力される入力信号光のパワーの極大値を推定する手法を説明する。
【００６１】
また、図１０において、Ｐｉｎ＿ｍ−ｎ（ｍ、ｎ：１以上の整数）は、ノード＃ｍに搭載されたｎ段目の光アンプへ入力される信号光の平均パワー、言い換えると、ＷＤＭ光のチャネルのうちノード＃ｍで挿入されたチャネルの平均パワーである。Ｇｍ−ｎは、ノード＃ｍに搭載されてＷＤＭ光を増幅するｎ段目の光アンプの利得である。Ｌｊは、ノードと隣接のノードとを接続するｊ（ｊ：１以上の整数）番目の光伝送路の損失である。Ｎｍ＿ｋ＿Ｒ（ｋ：１以上の整数）は、ＷＤＭ光のチャネルのうちノード＃ｍで挿入されてノード＃ｋで光受信器Ｒｘ＿ｎへの入力信号光として分離されたチャネルの数である。Ｎｍ＿ｋ＿Ｏは、ＷＤＭ光のチャネルのうちノード＃ｍで挿入されてノード＃ｋで光受信器Ｒｘ＿ｎ以外の光受信器への入力信号光として分離されたチャネルの数である。ここで、チャネルの平均パワーＰｉｎ＿ｍ−ｎ、光アンプの利得Ｇｍ−ｎ、光伝送路の損失Ｌｊ及びチャネルの数Ｎｍ＿ｋ＿Ｒ等は、管理部３１によって管理情報内の装置情報として管理されるものである。
【００６２】
推定部３２は、図１０に示すパスＰ＃１で伝送されるＷＤＭ光のチャネルの減設が行われる旨を予告するチャネル減設予告を受け付けた場合に、パス情報及び装置情報等の管理情報を管理部３１から読み出す。推定部３２は、管理情報内のパス情報と、減設されるチャネルの情報とに基づき、減設されるチャネルに対応するパスＰ＃１を特定する。推定部３２は、管理情報内のパス情報を用いて、チャネル減設が行われる前にパスＰ＃１上の光アンプ（ノード＃１〜＃４に搭載された光アンプ）へ入力される信号光のチャネルの数（以下「チャネル減設前の光アンプの入力チャネル数」という）を取得する。推定部３２は、管理情報内のパス情報を用いて、チャネル減設が行われた後にパスＰ＃１上の光アンプ（ノード＃１〜＃４に搭載された光アンプ）へ入力される信号光のチャネルの数（以下「チャネル減設後の光アンプの入力チャネル数」）を取得する。推定部３２は、例えば図１１に示す対応テーブルを用いて、チャネル減設前の光アンプの入力チャネル数と、チャネル減設後の光アンプの入力チャネル数とに対応付けられた、チャネル減設後の光アンプの利得変動量を取得する。
【００６３】
図１１は、推定部によって用いられる対応テーブルの一例を示す図である。図１１に示すように、対応テーブルは、チャネル減設前の光アンプの入力チャネル数と、チャネル減設後の光アンプの入力チャネル数と、チャネル減設後の光アンプの利得変動量とを対応付けたテーブルである。
【００６４】
続いて、推定部３２は、対応テーブルから取得した利得変動量を光アンプの利得Ｇｍ−ｎに加算することによって、チャネル減設後の光アンプの利得Ｇｍ−ｎ´を算出する。推定部３２は、チャネル減設後の光アンプの利得Ｇｍ−ｎ´と、管理情報内の装置情報とに基づき、光受信器Ｒｘ＿ｎへ入力される入力信号光のパワーの極大値Ｐｉｎ＿ｔｏｔａｌ´を推定する。例えば、推定部３２は、チャネルの減設によってチャネルの数Ｎ１＿４＿Ｏが変動する場合、（式１）を用いて、光受信器Ｒｘ＿ｎへ入力される入力信号光のパワーの極大値Ｐｉｎ＿ｔｏｔａｌ´を推定する。
【００６５】
【数１】
0006365256.tif 000002
【００６６】
また、例えば、推定部３２は、チャネルの減設によってチャネルの数Ｎ１＿４＿ＲがＮ１＿４＿Ｒ´へ変動する場合、（式２）を用いて、光受信器Ｒｘ＿ｎへ入力される入力信号光のパワーの極大値Ｐｉｎ＿ｔｏｔａｌ´を推定する。
【００６７】
【数２】
0006365256.tif 000003
【００６８】
なお、対応テーブルのデータ構造は、図１１に示したものに限定されない。例えば、対応テーブルとしては、図１２に示す対応テーブルが用いられてもよい。図１２は、推定部によって用いられる対応テーブルの他の例を示す図である。図１２に示す対応テーブルは、チャネル減設前の光アンプの入力チャネル数と、チャネル減設後の光アンプの入力チャネル数と、チャネル減設前の光アンプへ入力される信号光のパワーに応じたチャネル減設後の光アンプの利得とを対応付けたテーブルである。
【００６９】
図１３は、チャネルの増減に起因して変動する入力信号光のパワーの極値を推定する手法の一例を示す図（その２）である。図１３に示す光伝送システムでは、ノード＃１（Ｎｏｄｅ＃１）〜ノード＃４（Ｎｏｄｅ＃４）が、光分岐挿入（ＯＡＤＭ：Optical  Add/Drop  Multiplexing)機能を有するノードであるものとする。また、図１３に示す光伝送システムでは、ノード＃１からノード＃４へ至るパスＰ＃１と、ノード＃２からノード＃４へ至るパスＰ＃２と、ノード＃３からノード＃４へ至るパスＰ＃３とが設定されているものとする。以下では、チャネルの減設に起因してノード＃４の光受信器Ｒｘ＿ｎへ入力される入力信号光のパワーが過渡的に上昇する場合に、推定部３２が、ノード＃４の光受信器Ｒｘ＿ｎへ入力される入力信号光のパワーの極大値を推定する手法を説明する。
【００７０】
また、図１３において、Ｐｉｎ＿ｍ−ｎ（ｍ、ｎ：１以上の整数）は、ノード＃ｍに搭載されたｎ段目の光アンプへ入力される信号光の平均パワー、言い換えると、ＷＤＭ光のチャネルのうちノード＃ｍで挿入されたチャネルの平均パワーである。Ｇｍ−ｎは、ノード＃ｍに搭載されてＷＤＭ光を増幅するｎ段目の光アンプの利得である。Ｌｊは、ノードと隣接のノードとを接続するｊ（ｊ：１以上の整数）番目の光伝送路の損失である。Ｎｍ＿ｋ＿Ｒ（ｋ：１以上の整数）は、ＷＤＭ光のチャネルのうちノード＃ｍで挿入されてノード＃ｋで光受信器Ｒｘ＿ｎへの入力信号光として分離されたチャネルの数である。Ｎｍ＿ｋ＿Ｏは、ＷＤＭ光のチャネルのうちノード＃ｍで挿入されてノード＃ｋで光受信器Ｒｘ＿ｎ以外の光受信器への入力信号光として分離されたチャネルの数である。Ｎｍ＿ｋは、ＷＤＭ光のチャネルのうちノード＃ｍで挿入されてノード＃ｋで分離されたチャネルの数である。ここで、チャネルの平均パワーＰｉｎ＿ｍ−ｎ、光アンプの利得Ｇｍ−ｎ、光伝送路の損失Ｌｊ、チャネルの数Ｎｍ＿ｋ＿Ｒ及びチャネルの数Ｎｍ＿ｋ等は、管理部３１によって管理情報内の装置情報として管理されるものである。
【００７１】
推定部３２は、図１３に示すパスＰ＃１で伝送されるＷＤＭ光のチャネルの減設が行われる旨を予告するチャネル減設予告を受け付けた場合に、以下の処理を行う。すなわち、推定部３２は、パス情報及び装置情報等の管理情報を管理部３１から読み出し、管理情報内のパス情報と、減設されるチャネルの情報とに基づき、減設されるチャネルに対応するパスＰ＃１を特定する。推定部３２は、管理情報内のパス情報を用いて、チャネル減設が行われる前にパスＰ＃１上の光アンプ（ノード＃１〜＃４に搭載された光アンプ）へ入力される信号光のチャネルの数（以下「チャネル減設前の光アンプの入力チャネル数」という）を取得する。推定部３２は、管理情報内のパス情報を用いて、チャネル減設が行われた後にパスＰ＃１上の光アンプ（ノード＃１〜＃４に搭載された光アンプ）へ入力される信号光のチャネルの数（以下「チャネル減設後の光アンプの入力チャネル数」）を取得する。推定部３２は、例えば図１１に示す対応テーブルを用いて、チャネル減設前の光アンプの入力チャネル数と、チャネル減設後の光アンプの入力チャネル数とに対応付けられた、チャネル減設後の光アンプの利得変動量を取得する。
【００７２】
続いて、推定部３２は、対応テーブルから取得した利得変動量を光アンプの利得Ｇｍ−ｎに加算することによって、チャネル減設後の光アンプの利得Ｇｍ−ｎ´を算出する。そして、推定部３２は、チャネル減設後の光アンプの利得Ｇｍ−ｎ´と、管理情報内の装置情報とに基づき、光受信器Ｒｘ＿ｎへ入力される入力信号光のパワーの極大値Ｐｉｎ＿ｔｏｔａｌ´を推定する。例えば、推定部３２は、チャネルの減設によってチャネルの数Ｎ１＿４＿Ｒが変動せず、かつ、チャネルの数Ｎ１＿２が変動する場合、（式３）を用いて、光受信器Ｒｘ＿ｎへ入力される入力信号光のパワーの極大値Ｐｉｎ＿ｔｏｔａｌ´を推定する。
【００７３】
【数３】
0006365256.tif 000004
【００７４】
また、例えば、推定部３２は、チャネルの減設によってチャネルの数Ｎ１＿４＿Ｒが変動せず、かつ、チャネルの数Ｎ１＿３が変動する場合、（式４）を用いて、光受信器Ｒｘ＿ｎへ入力される入力信号光のパワーの極大値Ｐｉｎ＿ｔｏｔａｌ´を推定する。
【００７５】
【数４】
0006365256.tif 000005
【００７６】
また、例えば、推定部３２は、チャネルの減設によってチャネルの数Ｎ１＿４＿Ｒが変動せず、かつ、チャネルの数Ｎ１＿４＿Ｏが変動する場合、（式５）を用いて、光受信器Ｒｘ＿ｎへ入力される入力信号光のパワーの極大値Ｐｉｎ＿ｔｏｔａｌ´を推定する。
【００７７】
【数５】
0006365256.tif 000006
【００７８】
また、例えば、推定部３２は、チャネルの減設によってチャネルの数Ｎ１＿４＿ＲがＮ１＿４＿Ｒ´へ変動する場合、（式６）を用いて、光受信器Ｒｘ＿ｎへ入力される入力信号光のパワーの極大値Ｐｉｎ＿ｔｏｔａｌ´を推定する。
【００７９】
【数６】
0006365256.tif 000007
【００８０】
推定部３２は、図１３に示すパスＰ＃２で伝送されるＷＤＭ光のチャネルの減設が行われる旨を予告するチャネル減設予告を受け付けた場合に、以下の処理を行う。すなわち、推定部３２は、パス情報及び装置情報等の管理情報を管理部３１から読み出し、管理情報内のパス情報と、減設されるチャネルの情報とに基づき、減設されるチャネルに対応するパスＰ＃２を特定する。推定部３２は、管理情報内のパス情報を用いて、チャネル減設が行われる前にパスＰ＃２上の光アンプ（ノード＃２〜＃４に搭載された光アンプ）へ入力される信号光のチャネルの数（以下「チャネル減設前の光アンプの入力チャネル数」という）を取得する。推定部３２は、管理情報内のパス情報を用いて、チャネル減設が行われた後にパスＰ＃２上の光アンプ（ノード＃２〜＃４に搭載された光アンプ）へ入力される信号光のチャネルの数（以下「チャネル減設後の光アンプの入力チャネル数」）を取得する。推定部３２は、例えば図１１に示す対応テーブルを用いて、チャネル減設前の光アンプの入力チャネル数と、チャネル減設後の光アンプの入力チャネル数とに対応付けられた、チャネル減設後の光アンプの利得変動量を取得する。
【００８１】
続いて、推定部３２は、対応テーブルから取得した利得変動量を光アンプの利得Ｇｍ−ｎに加算することによって、チャネル減設後の光アンプの利得Ｇｍ−ｎ´を算出する。そして、推定部３２は、チャネル減設後の光アンプの利得Ｇｍ−ｎ´と、管理情報内の装置情報とに基づき、光受信器Ｒｘ＿ｎへ入力される入力信号光のパワーの極大値Ｐｉｎ＿ｔｏｔａｌ´を推定する。例えば、推定部３２は、チャネルの減設によってチャネルの数Ｎ２＿４＿Ｒが変動せず、かつ、チャネルの数Ｎ２＿３が変動する場合、（式７）を用いて、光受信器Ｒｘ＿ｎへ入力される入力信号光のパワーの極大値Ｐｉｎ＿ｔｏｔａｌ´を推定する。
【００８２】
【数７】
0006365256.tif 000008
【００８３】
また、例えば、推定部３２は、チャネルの減設によってチャネルの数Ｎ２＿４＿Ｒが変動せず、かつ、チャネルの数Ｎ２＿４＿Ｏが変動する場合、（式８）を用いて、光受信器Ｒｘ＿ｎへ入力される入力信号光のパワーの極大値Ｐｉｎ＿ｔｏｔａｌ´を推定する。
【００８４】
【数８】
0006365256.tif 000009
【００８５】
また、例えば、推定部３２は、チャネルの減設によってチャネルの数Ｎ２＿４＿ＲがＮ２＿４＿Ｒ´へ変動する場合、（式９）を用いて、光受信器Ｒｘ＿ｎへ入力される入力信号光のパワーの極大値Ｐｉｎ＿ｔｏｔａｌ´を推定する。
【００８６】
【数９】
0006365256.tif 000010
【００８７】
推定部３２は、図１３に示すパスＰ＃３で伝送されるＷＤＭ光のチャネルの減設が行われる旨を予告するチャネル減設予告を受け付けた場合に、以下の処理を行う。すなわち、推定部３２は、パス情報及び装置情報等の管理情報を管理部３１から読み出し、管理情報内のパス情報と、減設されるチャネルの情報とに基づき、減設されるチャネルに対応するパスＰ＃３を特定する。推定部３２は、管理情報内のパス情報を用いて、チャネル減設が行われる前にパスＰ＃３上の光アンプ（ノード＃３〜＃４に搭載された光アンプ）へ入力される信号光のチャネルの数（以下「チャネル減設前の光アンプの入力チャネル数」という）を取得する。推定部３２は、管理情報内のパス情報を用いて、チャネル減設が行われた後にパスＰ＃３上の光アンプ（ノード＃３〜＃４に搭載された光アンプ）へ入力される信号光のチャネルの数（以下「チャネル減設後の光アンプの入力チャネル数」）を取得する。推定部３２は、例えば図１１に示す対応テーブルを用いて、チャネル減設前の光アンプの入力チャネル数と、チャネル減設後の光アンプの入力チャネル数とに対応付けられた、チャネル減設後の光アンプの利得変動量を取得する。
【００８８】
続いて、推定部３２は、対応テーブルから取得した利得変動量を光アンプの利得Ｇｍ−ｎに加算することによって、チャネル減設後の光アンプの利得Ｇｍ−ｎ´を算出する。そして、推定部３２は、チャネル減設後の光アンプの利得Ｇｍ−ｎ´と、管理情報内の装置情報とに基づき、光受信器Ｒｘ＿ｎへ入力される入力信号光のパワーの極大値Ｐｉｎ＿ｔｏｔａｌ´を推定する。例えば、推定部３２は、チャネルの減設によってチャネルの数Ｎ３＿４＿Ｒが変動せず、かつ、チャネルの数Ｎ３＿４＿Ｏが変動する場合、（式１０）を用いて、光受信器Ｒｘ＿ｎへ入力される入力信号光のパワーの極大値Ｐｉｎ＿ｔｏｔａｌ´を推定する。
【００８９】
【数１０】
0006365256.tif 000011
【００９０】
また、例えば、推定部３２は、チャネルの減設によってチャネルの数Ｎ３＿４＿ＲがＮ３＿４＿Ｒ´へ変動する場合、（式１１）を用いて、光受信器Ｒｘ＿ｎへ入力される入力信号光のパワーの極大値Ｐｉｎ＿ｔｏｔａｌ´を推定する。
【００９１】
【数１１】
0006365256.tif 000012
【００９２】
図９の説明に戻る。算出部３３は、推定部３２によって入力信号光のパワーの極値が推定されると、推定された入力信号光のパワーの極値が光受信器１００側の増幅部１１０の許容範囲に応じた入力信号光のパワーの許容範囲に収まるか否かを判定する。例えば、入力信号光のパワーの極値が極大値である場合には、算出部３３は、入力信号光の極大値が光受信器１００側の増幅部１１０の許容範囲に応じた入力信号光のパワーの許容範囲の上限値を超えるか否かを判定する。例えば、入力信号光のパワーの極値が極小値である場合には、算出部３３は、入力信号光の極小値が光受信器１００側の増幅部１１０の許容範囲に応じた入力信号光のパワーの許容範囲の下限値を下回るか否かを判定する。なお、入力信号光のパワーの許容範囲Ｐｉｎ＿ｔｏｔａｌの上限値Ｐｉｎ＿ｔｏｔａｌ＿ｍａｘは、光受信器１００側の増幅部１１０の許容範囲Ｐｉｎ＿ｌｉｎｅａｒの上限値Ｐｉｎ＿ｌｉｎｅａｒ＿ｍａｘに応じて、（式１２）に示すように、算出される。また、入力信号光のパワーの許容範囲Ｐｉｎ＿ｔｏｔａｌの下限値Ｐｉｎ＿ｔｏｔａｌ＿ｍｉｎは、光受信器１００側の増幅部１１０の許容範囲Ｐｉｎ＿ｌｉｎｅａｒの下限値Ｐｉｎ＿ｌｉｎｅａｒ＿ｍｉｎに応じて、（式１３）に示すように、算出される。
【００９３】
【数１２】
0006365256.tif 000013
【００９４】
【数１３】
0006365256.tif 000014
【００９５】
ただし、（式１２）及び（式１３）において、ＰＬＯは、光受信器１００側のＬＯ１０４から出力される局発光のパワーである。Ｌｓは、光受信器１００側の入力信号光の入力ポートから増幅部１１０までの損失である。ＬＬは、光受信器１００側のＬＯ１０４から増幅部１１０までの損失である。
【００９６】
算出部３３は、入力信号光のパワーの極値が増幅部１１０の許容範囲に応じた入力信号光のパワーの許容範囲を外れる場合に、入力信号光のパワーの極値と、入力信号光のパワーの許容範囲の上限値又は下限値とに基づき、減衰量等の調整量を算出する。例えば、算出部３３は、入力信号のパワーの極大値が増幅部１１０の許容範囲に応じた入力信号光のパワーの許容範囲の上限値を超える場合に、入力信号光のパワーの極大値と、入力信号光のパワーの許容範囲の上限値との差分値を調整量として算出する。また、例えば、算出部３３は、入力信号のパワーの極小値が増幅部１１０の許容範囲に応じた入力信号光のパワーの許容範囲の極小値を下回る場合に、入力信号光のパワーの極小値と、入力信号光のパワーの許容範囲の下限値との差分値を調整量として算出する。
【００９７】
通知部３４は、算出部３３によって減衰量等の調整量が算出されると、算出された調整量をＬＡＮ等を経由して調整対象の光受信器１００へ通知する。
【００９８】
調整対象の光受信器１００内の制御部１１２は、管理装置３０内の通知部３４からの調整量を受信した場合、調整量に基づき、ＶＯＡ１０１によるパワーの調整量、及び／又はＶＯＡ１０５によるパワーの調整量を制御する。ＶＯＡ１０１は、ＶＯＡ１０１によるパワーの調整量が制御される場合、入力信号光のパワーを調整し、調整した入力信号光を出力する。ＶＯＡ１０５は、ＶＯＡ１０５によるパワーの調整量が制御される場合、局発光のパワーを調整し、調整した局発光を出力する。これにより、入力信号光と、局発光との混合光のパワーが適切に調整されるので、混合光から変換された電気信号のパワーも適切に調整される。このため、光受信器１００側の増幅部１１０へ入力される電気信号のパワーが予め定められた許容範囲から外れる事態が回避される。その結果、ＡＤＣ／ＤＳＰ１１１は、ＷＤＭ光のチャネルの増減に起因して信号光のパワーが過渡的に変動した場合でも、波形やＳＮ比が劣化していない電気信号に対してデジタル信号処理を施すことになるので、信号光の復調精度の低下を改善することができる。
【００９９】
また、通知部３４は、ＷＤＭ光のチャネルの増減が行われた後に、チャネルの増減に起因して変動する入力信号光のパワーの収束値を光受信器１００内の制御部１１２から取得する。通知部３４は、取得した入力信号光のパワーの収束値が入力信号光のパワーの許容範囲に収まる場合に、減衰量等の調整量の無効化を指示する無効化指示を調整対象の光受信器１００に通知する。調整対象の光受信器１００内の制御部１１２は、管理装置３０からの無効化指示を受信した場合、受信した無効化指示に基づき、ＶＯＡ１０１によるパワーの調整量、及び／又はＶＯＡ１０５によるパワーの調整量を無効化する制御を行う。
【０１００】
次に、実施例の光伝送システムの処理動作を説明する。図１４は、実施例の信号調整処理に関わる光伝送システムの処理動作の一例を示すフローチャートである。なお、図１４では、ＷＤＭ光のチャネルの減設が行われる場合に、管理装置３０側で光受信器１００のＶＯＡ１０１に調整量を設定する処理の流れを説明する。
【０１０１】
図１４に示すように、管理装置３０の推定部３２は、ＷＤＭ光のチャネルの減設が行われる旨を予告するチャネル減設予告を受け付けていない場合には（ステップＳ１１；Ｎｏ）、待機する。
【０１０２】
一方、推定部３２は、チャネル減設予告を受け付けた場合には（ステップＳ１１；Ｙｅｓ）、パス情報及び装置情報等の管理情報を管理部３１から読み出す（ステップＳ１２）。推定部３２は、読み出された管理情報に基づき、チャネルの減設に起因して過渡的に上昇する入力信号光のパワーの極大値Ｐｉｎ＿ｔｏｔａｌ´を推定する（ステップＳ１３）。
【０１０３】
算出部３３は、光受信器１００側の増幅部１１０の許容範囲の上限値Ｐｉｎ＿ｌｉｎｅａｒ＿ｍａｘに応じた信号光のパワーの許容範囲の上限値Ｐｉｎ＿ｔｏｔａｌ＿ｍａｘを算出する（ステップＳ１４）。
【０１０４】
算出部３３は、入力信号光のパワーの極大値Ｐｉｎ＿ｔｏｔａｌ´が、光受信器１００側の増幅部１１０の許容範囲の上限値Ｐｉｎ＿ｌｉｎｅａｒ＿ｍａｘに応じた入力信号光のパワーの許容範囲の上限値Ｐｉｎ＿ｔｏｔａｌ＿ｍａｘを超えるか否かを判定する（ステップＳ１５）。算出部３３は、入力信号光のパワーの極大値Ｐｉｎ＿ｔｏｔａｌ´が入力信号光のパワーの許容範囲の上限値Ｐｉｎ＿ｔｏｔａｌ＿ｍａｘ以下である場合（ステップＳ１５；Ｎｏ）、以下の処理を行う。すなわち、算出部３３は、光受信器１００のＶＯＡ１０１に設定する減衰量等の調整量Ｐａｔｔ１に０（調整なし）を設定する旨を光受信器１００に指示する（ステップＳ１６）。
【０１０５】
一方、算出部３３は、入力信号光のパワーの極大値Ｐｉｎ＿ｔｏｔａｌ´が入力信号光のパワーの許容範囲の上限値Ｐｉｎ＿ｔｏｔａｌ＿ｍａｘを超える場合（ステップＳ１５；Ｙｅｓ）、以下の処理を行う。すなわち、算出部３３は、入力信号光のパワーの極大値Ｐｉｎ＿ｔｏｔａｌ´と、入力信号光のパワーの許容範囲の上限値Ｐｉｎ＿ｔｏｔａｌ＿ｍａｘとの差分値を減衰量等の調整量Ｐａｔｔ１として算出する（ステップＳ１７）。通知部３４は、算出部３３によって減衰量等の調整量Ｐａｔｔ１が算出されると、算出された調整量Ｐａｔｔ１を調整対象の光受信器１００へ通知する（ステップＳ１８）。
【０１０６】
調整対象の光受信器１００内の制御部１１２は、管理装置３０内の通知部３４からの調整量Ｐａｔｔ１を受信した場合、調整量Ｐａｔｔ１に基づき、ＶＯＡ１０１によるパワーの調整量を制御する（ステップＳ１９）。
【０１０７】
その後、管理装置３０の通知部３４は、チャネルの減設が行われると（ステップＳ２０；Ｙｅｓ）、チャネルの減設に起因して上昇する入力信号光のパワーの収束値Ｐｉｎ＿ｔｏｔａｌ”を光受信器１００内の制御部１１２から取得する（ステップＳ２１）。通知部３４は、取得された入力信号光のパワーの収束値Ｐｉｎ＿ｔｏｔａｌ”が入力信号光のパワーの許容範囲の上限値Ｐｉｎ＿ｔｏｔａｌ＿ｍａｘを超える場合（ステップＳ２２；Ｙｅｓ）、調整量Ｐａｔｔ１が不十分であるため、処理をステップＳ２４へ移行する。算出部３３は、（Ｐａｔｔ１−（Ｐｉｎ＿ｔｏｔａｌ＿ｍａｘ−Ｐｉｎ＿ｔｏｔａｌ”））の値を減衰量等の調整量Ｐａｔｔ２として算出する（ステップＳ２４）。通知部３４は、算出部３３によって減衰量等の調整量Ｐａｔｔ２が算出されると、算出された調整量Ｐａｔｔ２を調整対象の光受信器１００へ通知する。
【０１０８】
調整対象の光受信器１００内の制御部１１２は、管理装置３０内の通知部３４からの調整量Ｐａｔｔ２を受信した場合、調整量Ｐａｔｔ１に調整量Ｐａｔｔ２を設定し、調整量Ｐａｔｔ２に基づき、ＶＯＡ１０１によるパワーの調整量を制御する（ステップＳ２５）。
【０１０９】
一方、通知部３４は、入力信号光のパワーの収束値Ｐｉｎ＿ｔｏｔａｌ”が入力信号光のパワーの許容範囲の上限値Ｐｉｎ＿ｔｏｔａｌ＿ｍａｘ以下である場合（ステップＳ２２；Ｎｏ）、以下の判定を行う。すなわち、通知部３４は、調整量Ｐａｔｔ１が（Ｐｉｎ＿ｔｏｔａｌ＿ｍａｘ−Ｐｉｎ＿ｔｏｔａｌ”）を超えるか否かを判定する（ステップＳ２３）。通知部３４は、調整量Ｐａｔｔ１が（Ｐｉｎ＿ｔｏｔａｌ＿ｍａｘ−Ｐｉｎ＿ｔｏｔａｌ”）を超える場合（ステップＳ２３；Ｙｅｓ）、処理をステップＳ２４へ移行する。
【０１１０】
一方、通知部３４は、調整量Ｐａｔｔ１が（Ｐｉｎ＿ｔｏｔａｌ＿ｍａｘ−Ｐｉｎ＿ｔｏｔａｌ”）以下である場合（ステップＳ２３；Ｎｏ）、減衰量等の調整量Ｐａｔｔ１の無効化を指示する無効化指示を調整対象の光受信器１００に通知する（ステップＳ２６）。調整対象の光受信器１００内の制御部１１２は、管理装置３０からの無効化指示を受信した場合、受信した無効化指示に基づき、減衰量等の調整量Ｐａｔｔ１に０を設定する（ステップＳ２７）。
【０１１１】
以上、本実施例の光伝送システムでは、管理装置３０が、ノード毎の管理情報に基づき、ＷＤＭ光のチャネルの増減に起因して変動する入力信号光のパワーの極値を推定する。管理装置３０は、推定された入力信号光のパワーの極値が光受信器側の増幅部の許容範囲に応じた信号光のパワーの許容範囲を外れる場合に、入力信号光のパワーの極値と信号光のパワーの許容範囲の上限値又は下限値との差に基づき、減衰量等の調整量を算出する。管理装置３０は、算出された調整量を調整対象の光受信器１００へ通知する。調整対象の光受信器１００は、管理装置３０からの調整量に基づき、入力信号光又は局発光のパワーを調整する。これにより、入力信号光と、局発光との混合光のパワーが適切に調整されるので、混合光から変換された電気信号のパワーも適切に調整される。このため、調整対象の光受信器１００側の増幅部１１０へ入力される電気信号のパワーが予め定められた許容範囲から外れる事態が回避される。その結果、本実施例によれば、ＷＤＭ光のチャネルの増減に起因して信号光のパワーが過渡的に変動した場合でも、波形やＳＮ比が劣化していない電気信号に対してデジタル信号処理を施すことになるので、信号光の復調精度の低下を改善することができる。
【０１１２】
また、本実施例の光伝送システムでは、管理装置３０は、ＷＤＭ光のチャネルの増減が行われた後に、チャネルの増減に起因して変動する信号光のパワーの収束値が信号光のパワーの許容範囲に収まる場合に、調整量を無効化する。その結果、本実施例によれば、光受信器１００側の増幅部１１０へ入力される電気信号のパワーを入力信号光又は局発光のパワーの調整前の値に復帰させることができる。
【符号の説明】
【０１１３】
２０  ノード
２１  光アンプ
２２  合分波器
２３  光アンプ
２４  光送信器
３０  管理装置
３１  管理部
３２  推定部
３３  算出部
３４  通知部
１００  光受信器
１０１  ＶＯＡ
１１０  増幅部
１０６  ＰＢＳ
１１２  制御部
【図１】
0006365256.tif 000015
【図２】
0006365256.tif 000016
【図３】
0006365256.tif 000017
【図４】
0006365256.tif 000018
【図５】
0006365256.tif 000019
【図６】
0006365256.tif 000020
【図７】
0006365256.tif 000021
【図８】
0006365256.tif 000022
【図９】
0006365256.tif 000023
【図１０】
0006365256.tif 000024
【図１１】
0006365256.tif 000025
【図１２】
0006365256.tif 000026
【図１３】
0006365256.tif 000027
【図１４】
0006365256.tif 000028